(57)【要約】  本実施形態は、少なくとも一つのレンズを収容するレンズバレル；前記レンズバレルを収容して、側面には光軸に垂直方向に延びて形成された鍔部を含むフロントボディー；前記レンズバレルと光軸方向に離隔して、前記フロントボディーの後方に配置される基板部；前記鍔部と結合して、前記基板部を収容するリアボディー；前記鍔部と前記リアボディーとの間に配置されて、前記フロントボディーと前記リアボディーが結合する融着部；前記融着部と離隔して、前記フロントボディーと前記リアボディーとの間に配置されて、前記フロントボディー及び前記リアボディーと接触するガスケットを含み、前記融着部と対応する位置の前記鍔部の前方面は、平面を含むカメラモジュールを提供する。  【選択図】図２
2019537317.tif 000002
【特許請求の範囲】
【請求項１】
少なくとも一つのレンズを収容するレンズバレル；
前記レンズバレルを収容して、側面には光軸に垂直方向に延びて形成された鍔部を含むフロントボディー；
前記レンズバレルと光軸方向に離隔して、前記フロントボディーの後方に配置される基板部；
前記鍔部と結合して、前記基板部を収容するリアボディー；
前記鍔部と前記リアボディーとの間に配置されて、前記フロントボディーと前記リアボディーが結合する融着部；及び
前記融着部と離隔して、前記フロントボディーと前記リアボディーとの間に配置されて、前記フロントボディー及び前記リアボディーと接触するガスケットを含み、
前記融着部と対応する位置の前記鍔部の前方面は、平面を含むことを特徴とする、カメラモジュール。
【請求項２】
前記鍔部には下端が上端より入った端子が位置して、
前記ガスケットは、前記端子の下端を覆うことを特徴とする、請求項１に記載のカメラモジュール。
【請求項３】
前記リアボディーには前記リアボディーの内部に突出されたガスケット支持部が配置されて、
前記ガスケットは、前記ガスケット支持部によって圧着されることを特徴とする、請求項１に記載のカメラモジュール。
【請求項４】
前記平面には前記融着部を収容する融着溝が配置されることを特徴とする、請求項１に記載のカメラモジュール。
【請求項５】
前記融着部は、レーザー融着により形成されて、
前記融着部でレーザーが照射されるレーザー照射部と前記ガスケットの表面の最短距離は、２ｍｍ以上であることを特徴とする、請求項１に記載のカメラモジュール。
【請求項６】
前記フロントボディーと前記リアボディーは、プラスチック材質を含むことを特徴とする、請求項１に記載のカメラモジュール。
【請求項７】
前記フロントボディーと前記リアボディーは、カーボンまたは金属が混合されたプラスチック材質を含むことを特徴とする、請求項１に記載のカメラモジュール。
【請求項８】
前記ガスケットは、リング形態であり、ゴム材質であることを特徴とする、請求項１に記載のカメラモジュール。
【請求項９】
前記ガスケットは、四角形態であることを特徴とする、請求項８に記載のカメラモジュール。
【請求項１０】
フロントボディーとガスケットを結合する段階；
リアボディーに基板部を収容する段階；
前記フロントボディーと前記リアボディーを整列して密着させる段階；
前記フロントボディーと前記リアボディーを融着してカメラモジュールを製造する段階を含み、
前記カメラモジュールは、
少なくとも一つのレンズを収容するレンズバレル；
前記レンズバレルを収容して、側面には光軸に垂直方向に延びて形成された鍔部を含む前記フロントボディー；
前記レンズバレルと光軸方向に離隔して前記フロントボディーの後方に配置される前記基板部；
前記鍔部と結合する前記リアボディー；
前記鍔部と前記リアボディーとの間に配置されて、前記フロントボディーと前記リアボディーが結合する融着部；及び
前記融着部と離隔して、前記フロントボディーと前記リアボディーとの間に配置されて、前記フロントボディー及び前記リアボディーと接触するガスケットを含み、
前記融着部と対応する位置の前記鍔部の前方面は、平面を含むことを特徴とする、カメラモジュール製造方法。
【発明の詳細な説明】
【技術分野】
【０００１】
本実施形態は、カメラモジュール及びカメラモジュール製造方法に関する。
【背景技術】
【０００２】
以下で記述される内容は、本実施形態に対する背景情報を提供するだけで従来技術を記載したものではない。
【０００３】
被写体を写真や動画で撮影するカメラモジュールは、様々な機器及び装置と結合することができる。特に、車両部品の高度化及び自動化などの影響で、カメラモジュールが結合した自動車が発売されている。カメラモジュールは、自動車で前方及び後方監視カメラとブラックボックスなどに内蔵されて使われる。
【０００４】
このようなカメラモジュールは、自動車の外部に突出しているものが殆どであるため、耐久性、防水性（機密性）が確保されなければならない。さらに劣化による損傷を防止するために放熱性も確保されなければならない。
【０００５】
車両用カメラモジュールのハウジングは、通常内部にレンズバレルが位置するフロントボディーと内部に基板部（ＰＣＢ，Ｐｒｉｎｔｅｄ  Ｃｉｒｃｕｉｔ  Ｂｏａｒｄ）及びイメージセンサーなど電子部品が位置するリアボディーが結合された形態である。車両用カメラモジュールのハウジングの材質としては金属やプラスチックが使われる。金属材質の場合、値段が高く（プラスチックの約１０倍）、カバーとボディーをスクリュー締結するため、これのためのスクリュー溝が追加で必要で基板部を設置するための空間が足りない問題がある。
【０００６】
一方、プラスチック材質は、材料費が定価で、フロントボディーとリアボディーを融着して結合するため、部品を収容できる空間を広く確保することができる長所がある。従って、近年、プラスチック材質を利用したハウジングに対する研究が盛んに行われている。しかし、プラスチック材質のハウジングは、カバーとボディーの融着部分に結露が発生して内部浸湿によって高価な電子部品が故障する問題がある。
【０００７】
一方、車両用カメラモジュールは、レンズバレルが取り付けられるフロントボディーと内部に電子部品（例えば、基板ユニット）が収容されるリアボディーが結合して製作される。外装部材であるフロントボディーとリアボディーは、通常金属材質で形成される。従って、フロントボディーとリアボディーの結合時、スクリュー結合方式が利用される。スクリュー結合方式は、フロントボディーとリアボディーにスクリューを締結するためのスクリュー締結空間を要する。
【０００８】
従ってリアボディーの内部に基板ユニットを収容するための空間が足りない問題がある。さらに金属材質を使えば、材料費（プラスチックの約１０倍）が増加する問題がある。
【発明の概要】
【発明が解決しようとする課題】
【０００９】
本第１実施形態は、電子部品が収容される内部空間を十分に確保することができて、外部からの浸湿と結露（Ｄｅｗｉｎｇ）を遮断して電子部品を保護できるカメラモジュールとカメラモジュール製造方法を提供する。
【００１０】
本第２実施形態は、内部に電子部品を収容するための空間を最大限確保することができて、さらに内部空間の機密性を確保して防水されたカメラモジュールを提供する。
【課題を解決するための手段】
【００１１】
本第１実施形態のカメラモジュールは、少なくとも一つのレンズを収容するレンズバレル；前記レンズバレルを収容して、側面には光軸に垂直方向に延びて形成された鍔部を含むフロントボディー；前記レンズバレルと光軸方向に離隔して前記フロントボディーの後方に配置される基板部；前記鍔部と結合して前記基板部を収容するリアボディー；前記鍔部と前記リアボディーとの間に配置されて、前記フロントボディーと前記リアボディーが結合する融着部；前記融着部と離隔して、前記フロントボディーと前記リアボディーとの間に配置されて、前記フロントボディー及び前記リアボディーと接触するガスケットを含み、前記融着部と対応する位置の前記鍔部の前方面は、平面を含むことができる。
【００１２】
前記鍔部には下端が上端より凹んだ端子が位置して、前記ガスケットは前記端子の下端を覆うことができる。
【００１３】
前記リアボディーには前記リアボディーの内部に突出されたガスケット支持部が配置されて、前記ガスケットは、前記ガスケット支持部によって圧着されることができる。
【００１４】
前記平面には前記融着部を収容する融着溝が配置されることができる。
【００１５】
前記融着部は、レーザー融着により形成されて、前記融着部でレーザーが照射されるレーザー照射部と前記ガスケットの表面の最短距離は、２ｍｍ以上であり得る。
【００１６】
前記フロントボディーと前記リアボディーは、プラスチック材質を含むことができる。
【００１７】
前記フロントボディーと前記リアボディーは、カーボンまたは金属が混合されたプラスチック材質を含むことができる。
【００１８】
前記ガスケットは、リング形態で、ゴム材質であり得る。
【００１９】
本第１実施形態のカメラモジュール製造方法は、フロントボディーとガスケットを結合する段階；リアボディーに基板部を収容する段階；前記フロントボディーと前記リアボディーを整列して密着する段階；前記フロントボディーと前記リアボディーを融着して、カメラモジュールを製造する段階を含み、前記カメラモジュールは、少なくとも一つのレンズを収容するレンズバレル；前記レンズバレルを収容して、側面には光軸に垂直方向に延びて形成された鍔部を含む前記フロントボディー；前記レンズバレルと光軸方向に離隔して前記フロントボディーの後方に配置される前記基板部；前記鍔部と結合する前記リアボディー；前記鍔部と前記リアボディーとの間に配置されて、前記フロントボディーと前記リアボディーが結合する融着部；前記融着部と離隔して、前記フロントボディーと前記リアボディーとの間に配置されて、前記フロントボディー及び前記リアボディーと接触するガスケットを含み、前記融着部と対応して位置の前記鍔部の前方面は、平面を含むことができる。
【００２０】
本第２実施形態のカメラモジュールは、少なくとも一つのレンズを収容するレンズバレル；前記レンズバレルが結合するフロントボディー；後方面と前記後方面から前方に延びた側壁部によって前方の開口と内部空間が形成されて、前記フロントボディーと結合して、前記フロントボディーによって前方の開口が閉鎖されるリアボディー；前記リアボディーの内部空間に収容された基板ユニット；前方面が前記フロントボディーの後方面と接して、後方面が前記リアボディーの側壁部の前方面と接して、前記リアボディーと前記フロントボディーとの間に介在するガスケットを含み、前記リアボディーは、前記側壁部の前方面の一部分から前方に延びた第１リブを含み、前記フロントボディーは、後方面に前記第１リブが収容される第１リブ溝を含み、前記第１リブと前記第１リブ溝の融着にて前記フロントボディーと前記リアボディーが結合することができる。
【００２１】
前記第１リブは、前方部分が前記第１リブ溝に収容されて融着され、後方部分の内側面は前記ガスケットの外側面と接することができる。
【００２２】
前記側壁部は、第１側壁と第２側壁；前記第１側壁と前記第２側壁を連結する第１コーナー側壁を含み、前記第１リブは、前記第１コーナー側壁から前方に延びて、前記第１コーナー側壁に沿って湾曲することができる。
【００２３】
前記ガスケットは、第１側辺と第２側辺；前記第１側辺と前記第２側辺を連結する第１コーナー部を含み、前記第１コーナー部の外側面は、前記第１リブと対応するように湾曲して、前記第１リブの後方部分の内側面と接して、前記第１側辺と前記第２側辺の外側面は外部に露出することができる。
【００２４】
前記第１コーナー部は、前記第１ガスケットコーナー部の一側は、前記第１側辺から内側に延びた第１連結部と連結されて、前記第１ガスケットコーナー部の他方は、前記第２側辺から内側に延びた第２連結部と連結されることができる。
【００２５】
前記第１連結部と前記第２連結部は、内側に湾曲することができる。
【００２６】
前記フロントボディーと前記リアボディーの材質は、プラスチックを含むことができる。
【００２７】
前記フロントボディーと前記リアボディーの材質は、カーボンまたは金属が混合されたプラスチックを含むことができる。
【００２８】
前記リブの前方面にレーザーが照射されて前記リブと前記リブ溝が融着できる。
【００２９】
前記リブの前方面でレーザーが照射される部分と前記ガスケットの最短距離は、２ｍｍ以上であり得る。
【００３０】
前記基板ユニットは、少なくとも一つ以上の基板；前記基板を収容するシールドカン；前記レンズバレルの光軸方向と整列して前記基板に実装されたイメージセンサーを含むことができる。
【発明の効果】
【００３１】
本第１実施形態によるとプラスチック材質のフロントボディーとリアボディーが融着により結合するため、内部空間が広くて十分な電子部品を収容することができる。さらにフロントボディーとリアボディーとの間に介在して圧着されるガスケットが追加されるため、浸湿と結露（Ｄｅｗｉｎｇ）を遮断することができる。さらにガスケットの表面と融着部との間に安全距離が確保されるため、融着時にガスケットが劣化によって破損するのを防止することができる。
【００３２】
本第２実施形態によるとリアボディーとフロントボディーが融着により結合するため、スクリュー締結のための追加空間を要しない。また、部分融着を適用することによりリアボディーの内部空間を最大限確保することができる。さらにガスケットの配置構造によって機密性も確保して防水性を向上した。
【図面の簡単な説明】
【００３３】
【図１】本第１実施形態のカメラモジュールを示した斜視図である。
【図２】本第１実施形態のカメラモジュールを示した分解斜視図である。
【図３】本第１実施形態のカメラハウジングを示した垂直断面図である。
【図４】本第１実施形態のカメラハウジングが融着されるのを示した垂直断面図である。
【図５】本第１実施形態の基板部とシールドカンとコネクターを示した分解斜視図である。
【図６】本第１実施形態のカメラハウジングの製造方法を示した概念図である。
【図７】本第１実施形態のカメラハウジングの製造方法を示した概念図である。
【図８】本第１実施形態のカメラハウジングの製造方法を示した概念図である。
【図９】本第１実施形態のカメラハウジングの製造方法を示した純書道だ。
【図１０】本第２実施形態のカメラモジュールを示した斜視図である。
【図１１】本第２実施形態のカメラモジュールを示した分解斜視図である。
【図１２】本第２実施形態のカメラモジュールのレンズバレルとフロントボディーとガスケットを示した分解斜視図である。
【図１３】本第２実施形態のフロントボディーとガスケットを後方で眺めた斜視図である。
【図１４】本第２実施形態の基板ユニットを示した分解斜視図である。
【図１５】本第２実施形態のリアボディーを示した斜視図である。
【図１６】本第２実施形態のフロントボディーとリアボディーとガスケットが結合されたのを示した断面図である。
【図１７】比較例のリアボディーと本第２実施形態のリアボディーを示した断面図である。
【発明を実施するため形態】
【００３４】
以下、本発明の一部実施形態を例示的な図面を持って説明する。各図面の構成要素に参照符号を記載するにあたり、同じ構成要素に対してはたとえ他の図面上に表示されてもできるだけ同じ符号で表示する。また、本発明の実施形態を説明するにあたり、関連した公示構成または機能に対する具体的な説明が本発明の実施形態に対する理解を妨害すると判断される場合にはその詳細な説明は省略する。
【００３５】
また、本発明の実施形態の構成要素を説明するにあたって、第１、第２、Ａ、Ｂ、（ａ）、（ｂ）等の用語を用いることができる。このような用語は、その構成要素を他の構成要素と区別するだけのものであり、その用語によって該当構成要素の本質や順番または順序などが限定されない。ある構成要素が別の構成要素に“連結”、“結合”または“接続”されると記載された場合、その構成要素はその別の構成要素に直接的に連結、結合または接続されることができるが、その構成要素とその別の構成要素との間にさらに別の構成要素が“連結”、“結合”または“接続”され得ると理解されなければならない。
【００３６】
以下、“上下方向”は、図面で図示されたＸ軸方向と定義する。この場合、“上方”とはＸ軸の矢印方向である。また、“左右方向”は、図面で図示されたＹ軸方向と定義する。この場合、“左側”とは、Ｙ軸の矢印方向である。また、“前後方向”は、図面で図示されたＺ軸方向と定義する。この場合、“後方”とは、Ｚ軸の矢印方向である。また、“光軸方向”は、レンズバレル１００の光軸方向と定義する。一方、“光軸方向”は“前後方向”、Ｚ軸方向などと混用されることができる。
【００３７】
以下、本第１実施形態のカメラモジュール１０００とカメラハウジング１１００を図面を参照して説明する。図１は、本第１実施形態のカメラモジュール１０００を示した斜視図で、図２は、本第１実施形態のカメラモジュール１０００を示した分解斜視図で、図３は、本第１実施形態のカメラハウジング１１００を示した垂直断面図で、図４は、本第１実施形態のカメラハウジング１１００がレーザー融着されるのを示した垂直断面図で、図５は、本第１実施形態の基板部５００とシールドカン６００とコネクター７００を示した分解斜視図である。
【００３８】
本第１実施形態に係るカメラモジュール１０００は、レンズバレル１００、フロントボディー２００、ガスケット３００、イメージセンサー４００、基板部５００、シールドカン６００、コネクター７００及びリアボディー８００を含むことができる。本発明に係るカメラハウジング１１００は、フロントボディー２００、ガスケット３００及びリアボディー８００を含むことができる。
【００３９】
レンズバレル１００は、後述するフロントボディー２００に位置することができる。レンズバレル１００は、フロントボディー２００のレンズバレル収容部２１０に位置することができる。レンズバレル１００は、レンズバレル収容部２１０のレンズバレルホール２１１に位置することができる。レンズバレル１００は、レンズバレル収容部２１０のレンズバレルホール２１１に収容されることができる。レンズバレル１００は、レンズバレル収容部２１０とねじ結合するか接着されることができる。レンズバレル１００には少なくとも一つのレンズが収容されることができる。従ってレンズバレル１００は、光軸を持つことができる。レンズバレル１００を通過した光は、後述するイメージセンサー４００に照射されることができる。
【００４０】
フロントボディー２００は、外装材でカメラハウジング１１００の構成要素であり得る。フロントボディー２００は、後述するリアボディー８００の上部に位置することができる。フロントボディー２００は、リアボディー８００の開口８１０を覆うことができる。フロントボディー２００は、プラスチック材質を含むことができる。フロントボディー２００は、カーボンまたは金属が混合されたプラスチック材質を含むことができる。フロントボディー２００は、レーザー透過性プラスチック材質またはレーザー透過性カーボンまたは金属が混合されたプラスチック材質を含むことができる。プラスチックにカーボンまたは金属が追加されると放熱性、耐久性、電磁気遮蔽性が向上することができる。しかしカーボンまたは金属の比率が高過ぎると融着がうまくいなかい場合があるため、プラスチックとカーボンまたは金属の比率を適切にトレードオフ（ｔｒａｄｅ−ｏｆｆ）しなければならない。フロントボディー２００とリアボディー８００は、融着して結合することができる。この場合、融着は、加圧状態でレーザー融着によって行うことができる。
【００４１】
フロントボディー２００にはレンズバレル１００が位置することができる。フロントボディー２００にはガスケット３００が位置することができる。フロントボディー２００は、レンズバレル収容部２１０、平面２２０及び鍔部２３０を含むことができる。レンズバレル収容部２１０と平面２２０と鍔部２３０は、一体で形成されることができる。
【００４２】
レンズバレル収容部２１０にはレンズバレルホール２１１が位置することができる。レンズバレル収容部２１０は、中空の円筒形態で中央にはこれを貫くレンズバレルホール２１１が形成されることができる。レンズバレルホール２１１にはレンズバレル１００が位置して固定されることができる。レンズバレル収容部２１０の後方部には平面２２０が位置することができる。レンズバレル収容部２１０と平面２２０は、プラスチックまたはカーボンまたは金属が混合されたプラスチック射出物で一体で形成されることができる。
【００４３】
平面２２０は、レンズバレル収容部２１０の後方終端に位置することができる。平面２２０は、後述する融着部８３０と対応する位置に配置されることができる。平面２２０は、四角プレート形態で中央にはレンズバレル収容部２１０から延びたレンズバレルホール２１１が形成されていることができる。つまり、レンズバレルホール２１１は、レンズバレル収容部２１０と平面２２０を貫くことができる。平面２２０は、後述するリアボディー８００の前方に位置することができる。この場合、平面２２０はリアボディー８００をカバーして（覆って）リアボディー８００の開口８１０を遮断することができる。この場合、リアボディー８００の内部空間は、開口８１０を介してレンズバレルホール２１１と連通することができる。但し、平面２２０の形態が上述したプレート形態に限定されない。つまり、平面２２０の形態としては、リアボディー８００をカバーして、レンズバレルホール２１１と連通することができるのであれば、いかなる形態でも適用されることができる。従って平面２２０は、“カバー部材”と呼称されることができる。
【００４４】
平面２２０は、融着溝２２１を含むことができる。平面２２０の後方面外側周りに沿って融着溝２２１が形成されることができる。融着溝２２１は、後述するリアボディー８００の融着部８３０と接する部分であり得る。従って融着溝２２１の凹んだ形状は、融着部８３０と一致するか類似することができる。融着溝２２１には融着部８３０が収容されることができる。融着溝２２１の内側面と融着部８３０の外側面は接することができる。この状態で後述するレーザー融着が行われてフロントボディー２００とリアボディー８００が結合することができる。
【００４５】
鍔部２３０は、平面２２０の下部に位置することができる。鍔部２３０は、中空で、高さが低い四面体形態で中央にはこれを貫くレンズバレルホール２１１が形成されることができる。つまり、レンズバレルホール２１１は、レンズバレル収容部２１０、平面２２０及び鍔部２３０を順に貫くことができる。つまり、レンズバレルホール２１１は、フロントボディー２００にコア形態で形成されることができる。この場合、リアボディー８００の内部空間は、開口８１０を介してレンズバレルホール２１１と連通することができる。鍔部２３０は、端子を含むことができる。鍔部２３０には下端（後方端）が上端（前方端）よりも内側に入った端子が位置することができる。
【００４６】
鍔部２３０にはガスケット３００が嵌合することができる。この場合、鍔部２３０は、リング形態のガスケット３００を貫くことができ、鍔部２３０の側面周りに沿ってガスケット３００が位置することができる。また、鍔部２３０の端子の後方端にガスケット３００が位置することができる。この場合、ガスケット３００は、鍔部２３０の端子の後方端の側面周りに沿って位置することができる。つまり、ガスケット３００は、鍔部２３０の端子の後方端を覆うことができる。さらにガスケット３００の上面は、前方端の下面と接することができる。
【００４７】
ガスケット３００は、カメラハウジング１１００の構成要素であり得る。ガスケット３００は、弾性材質であり得る。ガスケット３００は、ゴム材質であり得る。ガスケット３００は、四角のリング形態で鍔部２３０に嵌合することができる。この場合、鍔部２３０は、ガスケット３００を貫くことができる。さらにガスケット３００は、鍔部２３０の端子の後方端に位置することができる。この場合、ガスケット３００の前面は、鍔部２３０の端子の前方端の後方面と接することができる。ガスケット３００は、フロントカバー２００とリアボディー８００の結合時、リアボディー８００の内部空間に挿入されることができる。この場合、ガスケット３００の後方面は、後述するフロントボディー８００のガスケット支持部８４０に接して支持されることができる。
【００４８】
フロントボディー２００とリアボディー８００の結合後、ガスケット３００の前方面は、鍔部２３０の端子の前方端の後方面と接して、ガスケット３００の後方面は、ガスケット支持部８４０と接して、ガスケット３００の外側面は、ボディー８００の内側面と接して、ガスケット３００の内側面は、鍔部２３０の端子の後方端の外側面と接することができる。従ってガスケット３００は、リアボディー８００を密閉することができる。さらにフロントカバー２００とリアボディー８００は、前後方向に結合するため、ガスケット３００は、特に鍔部２３０の端子の前端とガスケット支持部８４０の結合圧力によって圧着されることができる。その結果、ガスケット３００の密閉性能が向上することができる。
【００４９】
イメージセンサー４００は、リアボディー８００の内部空間に収容されることができる。イメージセンサー４００は、後述する基板部５００に実装されることができる。イメージセンサー４００は、基板部５００の前方部に位置した第１基板５１０の前方面に位置することができる。イメージセンサー４００は、レンズバレル１００と光軸が一致するように位置することができる。従ってイメージセンサー４００は、レンズバレル１００を通過した光を取得することができる。この場合、イメージセンサー４００は、照射される光を映像で出力することができる。イメージセンサー４００は、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化物半導体）、ＣＰＤ及びＣＩＤであり得る。但し、イメージセンサー４００の種類がこれに制限されない。
【００５０】
基板部５００は、リアボディー８００の内部空間に収容されることができる。基板部５００は、フロントボディー２００やリアボディー８００とスクリュー結合して、リアボディー８００の内部空間に位置することができる。基板部５００は、フロントボディー２００やリアボディー８００と接着して、リアボディー８００の内部空間に位置することができる。基板部５００は、後述するシールドカン６００に包まれてリアボディー８００の内部空間に位置することができる。基板部５００の前方端にはイメージセンサー４００が実装されることができる。基板部５００の後方端にはコネクター７００が実装されることができる。基板部５００は、互いに離隔して積層された第１基板５１０、第３基板５３０及び第１基板５１０と第３基板５３０を連結する第２基板５２０を含むことができる。
【００５１】
第１基板５１０は、第３基板５３０と離隔して基板部５００の最前方部に位置することができる。第１基板５１０は、第３基板５３０と第２基板５２０により連結されることができる。第１基板５１０の上面にはイメージセンサー４００が実装されることができる。第１基板５１０は、シールドカン６００によりカバーされることができる。この場合、第１基板５１０の四辺は、シールドカン６００の内側面と接することができる。第１基板５１０は、後述する側面カン６１０の第１基板支持部６１１により支持されることができる。第１基板５１０の上の部分は、第１基板支持部６１１に接して支持されることができる。第１基板５１０は、フロントボディー２００の後方部とスクリュー結合して固定されることができる。第１基板５１０は、フロントボディー２００の後方部に接着して固定されることができる。第１基板５１０の前方面にはイメージセンサー４００が実装されることができる。第１基板５１０の角中少なくとも一部には弧または円形態で削られたスクリュー溝５１１が形成されることができる。スクリュー（図示せず）は、スクリュー溝５１１を貫いて第１基板５１０をフロントボディー２００の後方部に固定させることができる。第１基板５１０は、スクリューの結合圧力によってフロントボディー２００に固定されることができる。第１基板５１０は、四角プレート形態のプリント基板（ＰＣＢ，Ｐｒｉｎｔｅｄ  Ｃｉｒｃｕｉｔ  Ｂｏａｒｄ）であり得る。第１基板５１０は、カメラモジュール１０００を電子制御することができる。第１基板５１０の四辺中少なくとも一部には接地端（図示せず）が位置することができる。その結果、第１基板５１０の残留電磁気は、シールドカン６００を介して外部に抜け出ることができる。
【００５２】
第２基板５２０は、第１基板５１０と第３基板５３０との間に位置して、第１基板５１０と第３基板５３０を連結することができる。カメラモジュール１０００の電子制御のためには一定面積以上の基板が必要であるが、車両用カメラの設計上の要請によってリアボディー８００の内部空間の断面はこれより小さい。従って本発明の第１基板５１０と第３基板５３０のように、複数の基板を積層するのが一般的で、複数の基板を電気的に連結するために第２基板５２０のような連結機版を備える。一方、本発明のフロントボディー２００とリアボディー８００は、スクリューではなくレーザー融着により結合するため、基板部５００が内蔵される内部空間を最大限備えることができる。第２基板５２０は、前後方向に立てられた四角プレート形態のフレキシブルプリント基板（ＦＰＣＢ，Ｆｌｅｘｉｂｌｅ  Ｐｒｉｎｔｅｄ  Ｃｉｒｃｕｉｔ  Ｂｏａｒｄ）であり得る。その結果、第２基板５２０の前方辺には湾曲した第１基板連結部５２１が位置して、第２基板５２０の後方辺には湾曲した第３基板連結部５２２が位置することができる。第１基板連結部５２１は、第１基板５１０の下に位置した辺と電気的に連結されることができる。この場合、第１基板連結部５２１の端子と第１基板５１０の下に位置した辺に配置された端子がはんだ付けによって電気的に連結されることができる。第３基板連結部５２２は、第３基板５３０の下に位置した辺と電気的に連結されることができる。この場合、第３基板連結部５２２の端子と第３基板５３０の下に位置した辺に配置された端子がはんだ付けによって電気的に連結されることができる。第２基板５２０は、後述する側面カン６１０の第２基板係止部６１２を外側（下）に越えて位置することができる。従って第２基板は５２０の内側移動は、第２基板係止部６１２にて制限されることができる。
【００５３】
第３基板５３０は、第１基板５１０と離隔して、基板部５００の最後方部に位置することができる。第３基板５３０は、第１基板５１０と第２基板５２０により連結されることができる。第３基板５３０の下面には後述するコネクター７００が実装されることができる。第３基板５３０は、シールドカン６００によりカバーされることができる。この場合、第３基板５３０の四辺は、シールドカン６００の内側面と接することができる。第３基板５３０は、第３基板突出部５３１が後述する側面カン６１０の第３基板係止溝６１３に嵌め込まれて、側面カン６１０に固定されることができる。第３基板突出部５３１は、第１基板５１０の右側辺と左側辺から外側に延びた突起形態であり得る。第３基板突出部５３１は、第３基板係止ホール６１３に挿入されて第３基板５３０に支持力を付与することができる。第３基板５３０は、四角プレート形態のプリント基板（ＰＣＢ、Ｐｒｉｎｔｅｄ  Ｃｉｒｃｕｉｔ  Ｂｏａｒｄ）であり得る。第３基板５３０は、カメラモジュール１０００を電子制御することができる。第３基板５３０の四辺中少なくとも一部には接地端（図示せず）が位置することができる。その結果、第３基板５３０の残留電磁気は、シールドカン６００を介して外部に抜け出ることができる。
【００５４】
シールドカン６００は、リアボディー８００の内部空間に収容されることができる。この場合、シールドカン６００の外側面は、リアボディー８００の内側面と接することができる。シールドカン６００の内部には基板部５００が収容されることができる。シールドカン６００の内部の最上部には基板部５００に実装されたイメージセンサー４００が位置することができる。シールドカン６００の後方部にはシールドカン６００の後方面を貫くコネクター７００が位置することができる。シールドカン６００は、前方が開放されたブロック形態であり得る。その結果、レンズバレル１００を透過した光はイメージセンサー４００に照射されることができる。シールドカン６００は、金属材で形成されることができる。より詳細に、シールドカン６００は、金属の板材で備えられる。この場合、シールドカン６００は、電磁波妨害（ＥＭＩ，ｅｌｅｃｔｒｏ  ｍａｇｎｅｔｉｃ  ｉｎｔｅｒｆｅｒｅｎｃｅ）を遮断することができる。つまり、シールドカン６００は、外部から発生する電波が基板部５００に流入するのを遮断することができる。また、上述したように基板部５００は、シールドカン６００に接地されているため、基板部５００に残っている残留電磁気は、シールドカン６００を介して外部に抜け出ることができる。その結果、基板部５００は、電磁気的に安定した状態を維持することができる。但し、シールドカン６００の材質がこれに限定されない。シールドカン６００は、側面カン６１０と後方カン６２０を含むことができる。この場合、側面カン６１０と後方カン６２０は組み立てられることができる。但し、側面カン６１０と後方カン６２０は、一体で形成（図示せず）されてもよい。
【００５５】
側面カン６１０は、リアボディー８００の内部空間に収容されることができる。この場合、側面カン６１０の外側面は、リアボディー８００の内側面と接することができる。側面カン６１０の後方には後方カン６２０が位置することができる。側面カン６１０の内部には基板部５００が収容されることができる。側面カン６１０は、中空の直方体であり得る。側面カン６１０の前方と後方は、開放されることができる。その結果、側面カン６１０は、シールドカン６００の側面を形成することができる。側面カン６１０の上方向内側面には内側に突出された第１基板支持部６１１が位置することができる。第１基板支持部６１１は、第１基板５１０の後方面の上部分と接して、第１基板５１０を支持することができる。側面カン６１０の下に位置した面部分には第２基板係止部６１２が位置することができる。第２基板係止部６１２は、側面カン６１０の他の面より断面積が小さくてよい。つまり、第２基板係止部６１２は、平面形態のバー（Ｂａｒ）であり得る。第２基板係止部６１２の外側（下方向）には第２基板５２０が位置することができる。その結果、不意の外力によって第２基板５２０が上に移動する場合、第２基板係止部６１２に止められて制動されることができる。側面カン６１０の左側面と右側面には第３基板係止ホール６１３と後方カン係止ホール６１４が形成されることができる。第３基板係止ホール６１３の形状は、上述した第３基板突出部５３１の形状と対応することができる。従って第３基板突出部５３１は、第３基板係止ホール６１３に挿入されることができる。その結果、第３基板５３０は、側面カン６１０に固定されることができる。一方、第３基板係止ホール６１３の位相は、第１基板支持部６１１の位相より低いため、第３基板５３０は第１基板５１０の後方に位置することができる。後方カン係止ホール６１４の形状は、後述する後方カン突出部６２１の形状と対応することができる。従って後方カン突出部６２１は、後方カン係止ホール６１４に挿入されることができる。その結果、後方カン６２０は、側面カン６１０に組み立てられて側面カン６１０の後方に固定されることができる。第３基板係止ホール６１３と後方カン係止ホール６１４は、一体で形成されることができる。
【００５６】
後方カン６２０は、リアボディー８００の内部空間に収容されることができる。この場合、後方カン６２０の外側面は、リアボディー８００の内側面と接することができる。後方カン６２０の前方には側面カン６１０が位置することができる。後方カン６２０の後方には後方カン６２０の後方面を貫いたコネクター７００が位置することができる。後方カン６２０の後方面にはコネクター貫通ホール６２２が形成されることができて、コネクター７００は、コネクター貫通ホール６２２を介して後方カン６２０の後方面を貫くことができる。後方カン６２０は、平板プレートとこれの四辺各々から前方に延びた側面を備えることができる。従って後方カン６２０の前方部と前後方向の角は開放されることができる。後方カン６２０の左右の側面上端中央には内側に延びた後方カン突出部６２１が形成されることができる。後方カン突出部６２１は、後方カン係止ホール６１４に挿入されることができる。従って後方カン６２０の側面は、側面カン６１０に固定されて、側面カン６１０の後方端部をカバーすることができる。その結果、後方カン６２０は、シールドカン６００の後方面を形成することができる。
【００５７】
コネクター７００は、リアボディー８００の内部空間に収容されることができる。コネクター７００は、基板部５００に実装されることができる。コネクター７００は、第３基板５３０の後方面に実装されることができる。コネクター７００は、円筒形態で前面に端子が位置することができる。コネクター７００の端子は、第３基板５３０の後方面に形成された端子とはんだ付けされて結合することができる。コネクター７００は、コネクター貫通ホール６２２を介して後方カン６２０を貫くことができる。後方カン６２０を貫いたコネクター７００は、後述するリアボディー８００のコネクター収容部８５０に収容されることができる。コネクター７００は、ケーブル（図示せず）と電気的に連結されることができる。ケーブルは、外部の電子機器とカメラモジュール１０００を連結する導電ラインであり得る。従ってカメラモジュール１０００から出力されたイメージ信号は、ケーブルを介して外部の電子機器に転送されることができる。従ってカメラモジュール１０００が撮影したイメージ信号は、外部の電子機器によって保存されることもでき、ディスプレーされることもできる。また、外部の電子機器は、ケーブルを介してカメラモジュール１０００に電力を供給することができる。また、外部の電子機器は、ケーブルを介してカメラモジュール１０００に制御信号を送って、カメラモジュール１０００を制御することができる。
【００５８】
リアボディー８００は、外装材でカメラハウジング１１００の構成要素であり得る。リアボディー８００は、後述するフロントボディー２００の後方に位置することができる。リアボディー８００は、後方面から前方に延びた側壁８２０により前方が開口された中空の直方体形態であり得る。リアボディー８００の開口８１０は、フロントボディー２００によりカバーされることができる。但し、フロントボディー２００のレンズバレルホール２１１は、リアボディー８００の内部空間と連通することができる。リアボディー８００は、プラスチック材質を含むことができる。リアボディー８００は、カーボンまたは金属が混合されたプラスチック材質を含むことができる。リアボディー８００は、レーザー吸水性プラスチック材質またはレーザー吸水性カーボンまたは金属が混合されたプラスチック材質を含むことができる。リアボディー８００とフロントボディー２００は、融着して結合することができる。この場合、融着は、加圧状態でレーザー融着により行うことができる。
【００５９】
リアボディー８００の内部空間にはフロントボディー２００の下部が収容されることができる。つまり、フロントボディー２００の一部分は、リアボディー８００の内部空間に挿入されることができる。この場合、フロントボディー２００の鍔部２３０が挿入されることができる。従ってガスケット３００の内側面は、鍔部２３０と接して、ガスケット３００の外側面は、リアボディー８００の側壁８２０の前方内側面と接することができる。その結果、リアボディー８００の内部空間は、ガスケット３００により密閉されることができる。
【００６０】
リアボディー８００の側壁８２０の前面の内側には、側壁８２０周りに沿って上に突出された、融着部８３０が位置することができる。融着部８３０は、直方体が側壁８２０の周りに沿って形成された形態であり得る。融着部８３０は、融着溝２２１と対応する形態であり得る。従って融着部８３０は、リアボディー８００とフロントボディー２００の結合時に融着溝２２１に収容されることができる。
【００６１】
リアボディー８００にはリアボディー８００の内部に突出されたガスケット支持部８４０が位置することができる。リアボディー８００の側壁８２０には内側に突出されたガスケット支持部８４０が位置することができる。ガスケット支持部８４０は、段差のような形態であり得る。ガスケット支持部８４０は、ガスケット３００の後面と接して、ガスケット３００を支持することができる。従ってガスケット３００の前面は、鍔部２３０の端子の前端の後面と接して、ガスケット３００の後方面は、ガスケット支持部８４０の前方面と接することができる。上述したようにリアボディー８００とフロントボディー２００は、加圧状態で結合することができる。その結果、前記結合時ガスケット３００は、鍔部２３０の端子の前端とガスケット支持部８４０により圧着されることができる。この場合、ガスケット３００には前後方圧着によって上下左右方向の膨張圧力が発生する。ガスケット３００の内側面は、鍔部２３０と接して、ガスケット３００の外側面は、側壁８２０の前方部内側面と接する状態であるため、上述した上下左右方向膨張圧力によってガスケット３００の接合力が向上する。その結果、ガスケット３００の密閉能力が向上することができる。
【００６２】
リアボディー８００の後方面にはコネクター収容部８５０が位置することができる。コネクター収容部８５０は、リアボディー８００の後方面から後方に延びた中空の直方体形態であり得る。コネクター収容部８５０にはコネクター７００が収容されて、外力から保護されることができる。
【００６３】
リアボディー８００の融着部８３０にはレーザー照射部８６０が位置することができる。後述するが、レーザー融着器９００は、前方から後方にレーザー光を照射することができる。この場合、レーザー光は、平面２２０を透過して融着部８３０に照射される。レーザー照射部８６０は、融着部８３０で平面２２０を透過したレーザー光が最初に到達する地点である。より詳細にレーザー照射部８６０の位置を特定すると、融着部８３０の前面で幅方向中央地点であり得る。さらに後述するレーザー融着器９００は、融着部８３０に沿って移動しながらレーザー光を照射するため、融着部８３０の前面で融着部８３０に沿って位置する融着部８３０の幅方向中央地点であり得る。レーザー照射部８６０に照射されたレーザー光は、融着部８３０を加熱して融着部８３０と融着部８３０に対向する平面２２０中少なくとも一部分を融着させる。本実施形態では、融着部８３０と融着溝２２１であり得る。このような融着は、融着部８３０のレーザー照射部８６０と融着溝２２１でレーザー照射部８６０と対向する地点から始まる。
【００６４】
一方、レーザー融着とは、レーザー光を透過材（本発明では平面２２０、より詳細には融着溝２２１）に照射するとレーザー光が吸収材（本発明では融着部８３０）に透過して発熱する。この場合、吸収材の溶融熱が透過材の表面を加熱溶融するようになって透過材と吸収材の素材が互いに溶融しながら両材料が融合する。さらにこのような過程が加圧状態で進むと融着強度が高まる。
【００６５】
レーザー融着過程中レーザー照射部８６０から発生する熱は、近くのガスケット３００に伝達されることができる。ガスケット３００は、弾性ゴム材質で耐熱性が落ちる。その結果、ガスケット３００が劣化によって損傷して密閉性能が落ちる間題が発生する可能性がある。このような間題を解決するために、本発明ではレーザー照射部８６０とガスケット３００の表面の最短距離（ａ、図４参照）は、２ｍｍ以上であり得る。つまり、融着部８３０の端子を確保してガスケット３００が劣化によって損傷するのを防止した。
【００６６】
以下、本第１実施形態のカメラモジュール１０００の製造方法を図面を参照して説明する。図６、図７、図８は、本第１実施形態のカメラモジュールの製造方法を示した概念図で、図９は、本第１実施形態のカメラモジュールの製造方法を示したフローチャートである。
【００６７】
本実施形態のカメラモジュール１０００の製造方法は、フロントボディー２００とガスケット３００を結合する段階（Ｓ１、第１段階）とリアボディー８００に基板部５００を収容する段階（Ｓ２、第２段階）とフロントボディー２００とリアボディー８００を整列して密着させる段階（Ｓ３、第３段階）とフロントボディー２００とリアボディー８００を融着してカメラモジュール１０００を製造する段階（Ｓ４、第４段階）を含むことができる。
【００６８】
図６は、第１段階（Ｓ１）を示した概念図である。第１段階（Ｓ１）は、カバー２００にガスケット３００を結合する段階で鍔部２３０にガスケット３００を嵌合することができる。より詳細に説明すると、鍔部２３０の端子の後端にガスケット３００を嵌合することができる。この場合、ガスケット３００は、後方から前方に鍔部２３０に進入することができる。その結果、鍔部２３０は、ガスケット３００を貫いて挿入されて、ガスケット３００は、鍔部２３０の端子の後端の周りに沿って位置することができる。従ってガスケット３００の内側面は、鍔部２３０の外側面に接することができる。また、ガスケット３００の前面は、鍔部２３０の端子の前端の後方面に接することができる。
【００６９】
第２段階（Ｓ２）は、リアボディー８００に基板部５００を収容する段階で、リアボディー８００の内部空間に基板部５００を内蔵することができる。この場合、基板部５００は、リアボディー８００と嵌合することができる。また、基板部５００は、リアボディー８００と接着することができる。また、基板部５００をインサートモルディングして基板部５００が密着したリアボディー８００を製作することができる。一方、本実施形態の変形例では、基板部５００がフロントボディー２００にスクリュー結合することができる。この場合、第２段階（Ｓ２）は、フロントボディー２００に基板部５００を結合する段階であり得る。
【００７０】
図７は、第３段階（Ｓ３）を示した概念図である。第３段階（Ｓ３）は、フロントボディー２００とリアボディー８００を整列して密着させる段階で、まず、フロントボディー２００の融着溝２２１とリアボディー８００の融着部８３０が対向するように整列させる。その後、フロントボディー２００及び／またはリアボディー８００を前後方向に移動させて、リアボディー８００の融着部８３０が、フロントボディー２００の融着溝２２１に挿入されて嵌合するようにすることができる。その結果、フロントボディー２００は、リアボディー８００の開口８１０をカバーすることができる。また、融着部８３０は、融着溝２２１に接することができる。また、ガスケット３００の外側面は、リアボディー８００の側面８２０の内側面に接することができる。また、ガスケット３００の後面は、リボディー８００のガスケット支持部８４０に接することができる。この場合、ガスケット３００は、フロントボディー２００とリアボディー８００の結合圧力に影響される。つまり、ガスケット３００は、平面２２０の鍔部２３０の端子の前端とガスケット支持部８４０により圧着されることができる。
【００７１】
図８は、第４段階（Ｓ４）を示した概念図である。第４段階（Ｓ４）は、フロントボディー２００とリアボディー８００をレーザー融着させる段階である。レーザー融着器９００は、高出力ダイオードレーザー（Ｈｉｇｈ  Ｐｏｗｅｒ  Ｄｉｏｄｅ  Ｌａｓｅｒ，ＨＰＤＬ）を出射することができる。レーザー融着器９００は、上部から下部方向にレーザーを出射することができる。レーザー融着器９００は、フロントボディー２００の前方からレーザーを出射することができる。レーザー融着器９００は、融着部８３０に沿って移動しながらレーザーを出射することができる。レーザー光は、フロントボディー２００を透過して融着部８３０のレーザー照射部８６０に照射されることができる。従って融着部８３０とこれと対向する平面２２０（本実施形態では、融着溝２２１）は融着される。
【００７２】
以下、本第２実施形態のカメラモジュール２０００を図面を参照して説明する。図１０は、本第２実施形態のカメラモジュールを示した斜視図で、図１１は、本第２実施形態のカメラモジュールを示した分解斜視図で、図１２は、本第２実施形態のカメラモジュールのレンズバレルとフロントボディーとガスケットを示した分解斜視図で、図１３は、本第２実施形態のフロントボディーとガスケットを後方から見た斜視図で、図１４は、本第２実施形態の基板ユニットを示した分解斜視図で、図１５は、本第２実施形態のリアボディーを示した斜視図で、図１６は、本第２実施形態のフロントボディーとリアボディーとガスケットが結合されたのを示した断面図で、図１７は、比較例のリアボディーと本第２実施形態のリアボディーを示した断面図である。
【００７３】
本第２実施形態に係るカメラモジュール２０００は、レンズバレル２１００、フロントボディー２２００、ガスケット２３００、基板ユニット２４００及びリアボディー２５００を含むことができる。
【００７４】
レンズバレル２１００は、少なくとも一つのレンズを収容することができる。レンズバレル２１００は、光軸を持つことができる。この場合、レンズは、レンズバレル２１００とねじ結合するか接着されて整列することができる。レンズが複数の場合、レンズは、前後方向に離隔して整列することができる。従ってレンズバレル２１００は、光軸を持つことができる。レンズバレル２１００は、フロントボディー２２００に位置することができる。レンズバレル２１００は、フロントボディー２２００のレンズバレルホルダー２２１０と結合して固定されることができる。この場合、レンズバレル２１００は、レンズバレルホルダー２２１０に後方に挿入されることができる。また、レンズバレル２１００は、レンズバレルホルダー２２１０のレンズバレルホルダーホール２２１１を閉鎖することができる。この場合、レンズバレル２１００の外側面は、レンズバレルホルダーホール２２１１と接することができる。この場合、レンズバレル２１００は、レンズバレルホルダーホール２２１１とねじ結合するか接着することができる。但し、本変形例（図示せず）では、レンズバレル２１００が省略されてもよい。この場合、少なくとも一つのレンズが、直接レンズバレルホルダーホール２２１１とねじ結合するか接着することができる。レンズバレル２１００を通過した光は、後述するイメージセンサー２４００に照射されることができる。
【００７５】
フロントボディー２２００は、上述したようにレンズバレル２１００と結合することができる。フロントボディー２２００は、リアボディー２５００の前方に配置されることができる。フロントボディー２２００は、リアボディー２５００と結合することができる。この場合、フロントボディー２２００は、リアボディー２５００の開口２５１０を覆うことができる。フロントボディー２２００は、プラスチック材質を含むことができる。フロントボディー２２００は、カーボンまたは金属が混合されたプラスチック材質を含むことができる。フロントボディー２２００は、レーザー透過性プラスチック材質またはレーザー透過性カーボンまたは金属が混合されたプラスチック材質を含むことができる。プラスチックにカーボンまたは金属が追加されると放熱性、耐久性、電磁気遮蔽性が向上することができる。しかしカーボンまたは金属の比率が高過ぎると融着がうまくいかない場合がある。従ってフロントボディー２２００の材質を選択時、プラスチックとカーボンまたは金属の比率を適切にトレードオフ（ｔｒａｄｅ−ｏｆｆ）することができる。フロントボディー２２００とリアボディー２５００は、融着して結合することができる。この場合、融着は、加圧状態でレーザー融着により行われる。フロントボディー２２００の後方にはガスケット２３００が配置されることができる。この場合、フロントボディー２２００の後方面とガスケット２３００の前方面が接することができる。フロントボディー２２００は、レンズバレルホルダー２２１０、鍔部２２２０及びガスケットホルダー２２３０を含むことができる。この場合、レンズバレルホルダー２２１０、鍔部２２２０及びガスケットホルダー２２３０は、一体で形成されることができる。
【００７６】
レンズバレルホルダー２２１０は、中空の円筒形態で内部にはレンズバレルホール２２１１が形成されることができる。レンズバレルホルダー２２１０にはレンズバレル２１００が配置されて固定されることができる。この場合、レンズバレル２１００の外側面とレンズバレルホール２２１１の内側面が、接して固定されることができる。レンズバレルホルダー２２１０の後方には鍔部２２２０が配置されることができる。
【００７７】
鍔部２２２０は、レンズバレル収容部２２１０の後方から外側に延びた形態であり得る。鍔部２２２０は、レンズバレルホール２２１１により貫通されることができる。鍔部２２２０の中央にはレンズバレルホール２２１１が形成されることができる。つまり、鍔部２２２０までレンズバレルホール２２１１が延びることができる。鍔部２２２０は、プレート形態であり得る。鍔部２２２０は、四角プレート形態であり得る。鍔部２２２０は、リアボディー２５００の前方に配置されることができる。鍔部２２２０は、ブロック形態のリアボディー２５００の開口２５９０を閉鎖することができる。鍔部２２２０の後方にはガスケットホルダー２２３０が配置されることができる。鍔部２２２０の形態が上述したプレート形態に限定されない。つまり、鍔部２２２０は、リアボディー２５００をカバーしたレンズバレルホール２２１１が貫いた形態であればいかなる形態であってもよい。従って鍔部２２２０は、“カバー部材”と呼称されることができる。
【００７８】
鍔部２２００の後方面には第１、２、３、４リブ溝２２２１、２２２２、２２２３、２２２４が形成されることができる。第１、２、３、４リブ溝２２２１、２２２２、２２２３、２２２４は、鍔部２２００の後方面で前方に凹んだ溝であり得る。第１、２、３、４リブ溝２２２１、２２２２、２２２３、２２２４は、鍔部２２００の後方面の外側に配置されることができる。第１、２、３、４リブ溝２２２１、２２２２、２２２３、２２２４は、鍔部２２００のコーナーの部分に配置されることができる。第１、２、３、４リブ溝２２２１、２２２２、２２２３、２２２４各々にはこれと対向する各々の第１、２、３、４リブ２５５０、２５６０、２５７０、２５８０が収容されることができる。従って第１、２、３、４リブ溝２２２１、２２２２、２２２３、２２２４各々は、これと対向する第１、２、３、４リブ２５５０、２５６０、２５７０、２５８０と対応する形状を持つことができる。第１、２、３、４リブ溝２２２１、２２２２、２２２３、２２２４と第１、２、３、４リブ２５５０、２５６０、２５７０、２５８０の融着によりフロントボディー２２００とリアボディー２５００が結合することができる。より詳細に第１、２、３、４リブ溝２２２１、２２２２、２２２３、２２２４と第１、２、３、４リブ２５５０、２５６０、２５７０、２５８０の前方部分の融着によりフロントボディー２２００とリアボディー２５００が結合することができる。
【００７９】
鍔部２２００の中心にはレンズバレルホール２２１１が形成されることができる。また、鍔部２２００の後方面にはレンズバレルホール２２１１の外側でレンズバレルホール２２１１の周りに沿って後方に突出された四角リング形態のガスケットホルダー２２３０が配置されることができる。従ってレンズバレル２１００を透過した光は、レンズバレルホール２２１１とガスケットホルダー２２３０の内側を順に通って後述する基板ユニット２４００の第１基板２４３０に実装されたイメージセンサー２４１０に照射されることができる。
【００８０】
ガスケットホルダー２２３０は、鍔部２２００の後方面に位置することができる。ガスケットホルダー２２３０は、中空の四角リング形態で鍔部２２００の後方面で後方に突出された形態であり得る。ガスケットホルダー２２３０の内側にはレンズバレルホール２２１１が配置されることができる。ガスケットホルダー２２３０には後述するガスケット２３００が嵌合することができる。この場合、ガスケットホルダー２２３０は、ガスケット２３００を貫くことができる。
【００８１】
フロントボディー２２００とガスケット２３００の結合時、ガスケットホルダー２２３０の外側面とガスケット２３００の内側面は、接することができる。また、鍔部２２２０の後方面とガスケット２３００の上面は、接することができる。この場合、第１、２、３、４リブ溝２２２１、２２２２、２２２３、２２２４は、ガスケット２３００の外側に配置されることができる。
【００８２】
ガスケット２３００は、弾性材質であり得る。ガスケット２３００は、ゴム材質であり得る。ガスケット２３００は、フロントボディー２２００とリアボディー２５００との間に介在することができる。従って本第２実施形態のカメラモジュール２０００は、ガスケット２３００によりリアボディー２５００の内部空間の機密性（防水性）を維持することができる。その結果、リアボディー２５００に内蔵される基板部２４００が保護されることができる。
【００８３】
ガスケット２３００は、第１、２、３、４側辺２３１０、２３２０、２３３０、２３４０とこれを連結する第１、２、３、４コーナー部２３１１、２３２１、２３３１、２３４１を含む四角リング形態であり得る。この場合、第１、２、３、４側辺２３１０、２３２０、２３３０、２３４０とこれを連結する第１、２、３、４コーナー部２３１１、２３２１、２３３１、２３４１は、第１、２、３、４、５、６、７、８連結部２３１２、２３１３、２３２２、２３２３、２３３２、２３３３、２３４２、２３４３により連結されることができる。
【００８４】
第１、２側辺２３１０、２３２０は、ガスケット２３００の上側と左側に配置される辺であり得る。第１、２側辺２３１０、２３２０は、互いに傾斜するように配置されることができる。第１、２側辺２３１０、２３２０は、互いに直角に配置されることができる。第１、２側辺２３１０、２３２０との間には第１ガスケットコーナー部２３１１が配置されて、コーナーが形成されることができる。従って第１ガスケットコーナー部２３１１は、湾曲するか折り曲げられることができる。第１ガスケットコーナー部２３１１は、外側に湾曲するか折り曲げられることができる。第１ガスケットコーナー部２３１１は、第１連結部２３１２により第１側辺２３１０と連結されることができる。第１ガスケットコーナー部２３１１は、第２連結部２３１３により第２側辺２３２０と連結されることができる。第１、２連結部２３１２、２３１３は、内側に湾曲するか折り曲げられることができる。より詳細には第１ガスケットコーナー部２３１１は、外側に湾曲するか折り曲げられて、第１ガスケットコーナー部２３１１から右側に延びる部分は、第１側辺２３１０から内側に延びた第１連結部２３１２により第１側辺２３１０と連結されることができて、第１ガスケットコーナー部２３１１から下側に延びる部分は、第２側辺２３２０から内側に延びた第２連結部２３１３により第２側辺２３２０と連結されることができる。さらに第１連結部２３１２と第２連結部２３１３は、内側に湾曲するか折り曲げられることができる。その結果、第１コーナー部２３１１は、四角リング形態のガスケット２３００の一方の角で内側に入って配置されることができる。この場合、内側に入った第１コーナー部２３１１と内側に延びた第１、２連結部２３１２、２３１３により形成された空間には後述する第１リブ２５５０の後方部分が配置されることができる。また、第１コーナー部２３１１の外側面と第１リブ２５５０の後方部分の内側面は、接することができる。従って第１コーナー部２３１１の外側面と第１リブ２５５０の後方部分の内側面は対応するように湾曲するか折り曲げられることができる。上述することをまとめると、フロントボディー２２００とリアボディー２５００の結合時に第１コーナー部２３１１は、第１リブ２５５０によりカバーされて、第１、２側辺２３１０、２３２０の外側面は、外部に露出することができる。
【００８５】
第２、３側辺２３２０、２３３０は、ガスケット２３００の左側と下側に配置される辺であり得る。第２、３側辺２３２０、２３３０は、互いに傾斜するように配置されることができる。第２、３側辺２３２０、２３３０は、互いに直角に配置されることができる。第２、３側辺２３２０、２３３０との間には第２ガスケットコーナー部２３２１が配置されて、コーナーが形成されることができる。従って第２ガスケットコーナー部２３２１は、湾曲するか折り曲げられることができる。第２ガスケットコーナー部２３２１は、外側に湾曲するか折り曲げられることができる。第２ガスケットコーナー部２３２１は、第３連結部２３２２により第２側辺２３２０と連結されることができる。第２ガスケットコーナー部２３２１は、第４連結部２３１３により第３側辺２３３０と連結されることができる。第３、４連結部２３２２、２３２３は、内側に湾曲するか折り曲げられることができる。より詳細には第２ガスケットコーナー部２３２１は、外側に湾曲するか折り曲げられて、第２ガスケットコーナー部２３２１から上側に延びる部分は、第２側辺２３２０から内側に延びた第３連結部２３２２により第２側辺２３２０と連結されることができて、第２ガスケットコーナー部２３２１から右側に延びる部分は、第２側辺２３２０から内側に延びた第４連結部２３２３により第３側辺２３３０と連結されることができる。さらに第３連結部２３２２と第４連結部２３２３は、内側に湾曲するか折り曲げられることができる。その結果、第２コーナー部２３２１は、四角リング形態のガスケット２３００の一方の角で内側に入って配置されることができる。この場合、内側に凹んだ第２コーナー部２３２１と内側に延びた第３、４連結部２３２２、２３２３により形成された空間には後述する第２リブ２５６０の後方部分が配置されることができる。また、第２コーナー部２３２１の外側面と第２リブ２５６０の後方部分の内側面は、接することができる。従って第２コーナー部２３２１の外側面と第２リブ２５６０の後方部分の内側面は、対応するように湾曲するか折り曲げられることができる。上述することをまとめると、フロントボディー２２００とリアボディー２５００の結合時に第２コーナー部２３２１は、第２リブ２５６０によりカバーされて、第２、３側辺２３２０、２３３０の外側面は、外部に露出することができる。
【００８６】
第３、４側辺２３３０、２３４０は、ガスケット２３００の下側と右側に配置される辺であり得る。第３、４側辺２３３０、２３４０は、互いに傾斜するように配置されることができる。第３、４側辺２３３０、２３４０は、互いに直角に配置されることができる。第３、４側辺２３３０、２３４０との間には第３ガスケットコーナー部２３３１が配置されて、コーナーが形成されることができる。従って第３ガスケットコーナー部２３３１は、湾曲するか折り曲げられることができる。第３ガスケットコーナー部２３３１は、外側に湾曲するか折り曲げられることができる。第３ガスケットコーナー部２３３１は、第５連結部２３３２により第３側辺２３３０と連結されることができる。第３ガスケットコーナー部２３３１は、第６連結部２３３３により第４側辺２３４０と連結されることができる。第５、６連結部２３３２、２３３３は、内側に湾曲するか折り曲げられることができる。より詳細には第３ガスケットコーナー部２３３１は、外側に湾曲するか折り曲げられて、第３ガスケットコーナー部２３３１から左側に延びる部分は、第３側辺２３３０から内側に延びた第５連結部２３３２により第３側辺２３３０と連結されることができて、第３ガスケットコーナー部２３３１から上側に延びる部分は、第３側辺２３３０から内側に延びた第６連結部２３３３により第４側辺２３４０と連結されることができる。さらに第５連結部２３３２と第６連結部２３３３は、内側に湾曲するか折り曲げられることができる。その結果、第３コーナー部２３３１は、四角リング形態のガスケット２３００の一方の角で内側に入って配置されることができる。この場合、内側に入った第３コーナー部２３３１と内側に延びた第５、６連結部２３３２、２３３３により形成された空間には後述する第３リブ２５７０の後方部分が配置されることができる。また、第３コーナー部２３３１の外側面と第３リブ２５７０の後方部分の内側面は、接することができる。従って第３コーナー部２３３１の外側面と第３リブ２５７０の後方部分の内側面は、対応するように湾曲するか折り曲げられることができる。上述することをまとめると、フロントボディー２２００とリアボディー２５００の結合時に第３コーナー部２３３１は、第３リブ２５７０によりカバーされて、第３、４側辺２３３０、２３４０の外側面は、外部に露出することができる。
【００８７】
第１、４側辺２３１０、２３４０は、ガスケット２３００の上側と右側に配置される辺であり得る。第１、４側辺２３１０、２３４０は、互いに傾斜するように配置されることができる。第１、４側辺２３１０、２３４０は、互いに直角に配置されることができる。第１、４側辺２３１０、２３４０との間には第４ガスケットコーナー部２３４１が配置されて、コーナーが形成されることができる。従って第４ガスケットコーナー部２３４１は、湾曲するか折り曲げられることができる。第４ガスケットコーナー部２３４１は、外側に湾曲するか折り曲げられることができる。第４ガスケットコーナー部２３４１は、第８連結部２３４３により第１側辺２３１０と連結されることができる。第４ガスケットコーナー部２３４１は、第７連結部２３４２により第４側辺２３４０と連結されることができる。第７、８連結部２３４２、２３４３は、内側に湾曲するか折り曲げられることができる。より詳細には第４ガスケットコーナー部２３４１は、外側に湾曲するか折り曲げられて、第４ガスケットコーナー部２３４１から前方に延びる部分は、第４側辺２３４０から内側に延びた第７連結部２３４２により第４側辺２３４０と連結されることができて、第４ガスケットコーナー部２３４１から左側に延びる部分は、第４側辺２３４０から内側に延びた第８連結部２３４３により第１側辺２３１０と連結されることができる。さらに第７連結部２３４２と第８連結部２３４３は、内側に湾曲するか折り曲げられることができる。その結果、第４コーナー部２３４１は、四角リング形態のガスケット２３００の一方の角で内側に入って配置されることができる。この場合、内側に入った第４コーナー部２３４１と内側に延びた第７、８連結部２３４２、２３４３により形成された空間には後述する第４リブ２５８０の後方部分が配置されることができる。また、第４コーナー部２３４１の外側面と第４リブ２５８０の後方部分の内側面は、接することができる。従って第４コーナー部２３４１の外側面と第４リブ２５８０の後方部分の内側面は、対応するように湾曲するか折り曲げられることができる。上述することをまとめると、フロントボディー２２００とリアボディー２５００の結合時に第４コーナー部２３４１は、第４リブ２５８０によりカバーされて、第１、４側辺２３１０、２３４０の外側面は、外部に露出することができる。
【００８８】
ガスケット２３００の上面は、フロントボディー２２００の底面と接することができる。ガスケット２３００の上面は、鍔部２２２０の底面と接することができる。ガスケット２３００の底面は、リアボディー２５００の側壁部２５０１の上面と接することができる。ガスケット２３００の底面は、第１、２、３、４側壁２５１０、２５２０、２５３０、２５４０と第１、２、３、４コーナー側壁２５１１、２５２１、２５３１、２５４１の上面と接することができる。従ってガスケット２３００は、フロントボディー２２００とリアボディー２５００の結合時に前後方向に圧縮力を受けることができる。その結果、ガスケット２３００による機密性が向上することができる。
【００８９】
上述したことをまとめると、ガスケット２３００の内側面は、ガスケットホルダー２２３０の外側面と接することができる。ガスケット２３００の第１、２、３、４コーナー部２３１１、２３２１、２３３１、２３４１の外側面は、第１、２、３、４リブ２５５０、２５６０、２５７０、２５８０の後方部分の内側面と接することができる。ガスケット２３００の第１、２、３、４コーナー部２３１１、２３２１、２３３１、２３４１の外側面は、第１、２、３、４リブ２５５０、２５６０、２５７０、２５８０によりカバーされて、外部に露出されない。ガスケット２３００の第１、２、３、４側辺２３１０、２３２０、２３３０、２３４０の外側面は、外部に露出することができる。
【００９０】
基板ユニット２４００は、リアボディー２５００の内部空間に収容されることができる。基板ユニット２４００は、フロントボディー２２００とスクリュー結合してリアボディー２５００の内部空間に位置することができる。基板ユニット２４００は、フロントボディー２２００やリアボディー２５００と接着して、リアボディー２５００の内部空間に位置することができる。基板ユニット２４００は、イメージセンサー２４１０、第１基板２４２０、第２基板２４３０、第３基板２４４０、側面カン２４５０、後方カン２４６０及びコネクター２４７０を含むことができる。
【００９１】
イメージセンサー２４１０は、リアボディー２５００の内部空間に収容されることができる。イメージセンサー２４１０は、後述する第１基板２４２０に実装されることができる。イメージセンサー２４１０は、基板ユニット２４００の上部に位置した第１基板２４２０の前方面に位置することができる。イメージセンサー２４１０は、レンズバレル２１００と光軸が一致するように配置されることができる。従ってイメージセンサー２４１０は、レンズバレル２１００を通過した光を取得することができる。この場合、イメージセンサー２４１０は、照射される光を映像で出力することができる。イメージセンサー２４１０は、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化物半導体）、ＣＰＤ及びＣＩＤであり得る。但し、イメージセンサー２４１０の種類がこれに制限されない。
【００９２】
基板ユニット２４００は、少なくとも一つ以上の基板を含むことができる。本第２実施形態では、計三つの第１、２、３基板２４２０、２４３０、２４４０を含む。
【００９３】
第１基板２４２０は、第３基板２４４０と離隔して、基板ユニット２４００の最上部に位置することができる。第１基板２４２０は、第３基板２４４０と第２基板２４３０により連結されることができる。第１基板２４２０の前方面にはイメージセンサー２４１０が実装されることができる。第１基板２４２０は、シールドカンによってカバーされることができる。この場合、第１基板２４２０の四辺は、シールドカンの内側面と接することができる。第１基板２４２０は、後述する側面カン２４５０の第１基板支持部２４５１により支持されることができる。第１基板２４２０の上の部分は、第１基板支持部２４５１に接して支持されることができる。第１基板２４２０は、フロントボディー２２００の後方部とスクリュー結合して固定されることができる。第１基板２４２０の角の少なくとも一部には弧または円形態で削られたスクリュー溝２４２１が形成されることができる。スクリュー２４２２は、スクリュー溝２４２１を貫いて第１基板２４２０をフロントボディー２２００の後方部に固定させることができる。第１基板２４２０は、スクリューの結合圧力によってフロントボディー２２００に固定されることができる。第１基板２４２０は、四角プレート形態のプリント基板（ＰＣＢ，Ｐｒｉｎｔｅｄ  Ｃｉｒｃｕｉｔ  Ｂｏａｒｄ）であり得る。第１基板２４２０は、カメラモジュール２０００を電子制御することができる。第１基板２４２０の四辺中少なくとも一部にはシールドカンと接する接地端（図示せず）が位置することができる。その結果、第１基板２４２０の残留電磁気は、シールドカンを介して外部に抜け出ることができる。
【００９４】
第２基板２４３０は、第１基板２４２０と第３基板２４４０との間に位置して、第１基板２４２０と第３基板２４４０を連結することができる。カメラモジュール２０００の電子制御のためには一定面積以上の基板が必要であるが、車両用カメラの設計上の要請によってリアボディー２５００の内部空間の断面はこれより小さい。従って本発明の第１基板２４２０と第３基板２４４０のように、複数の基板を積層することが一般的で、複数の基板を電気的に連結するために、第２基板２４３０のような連結基板を備える。一方、本発明のフロントボディー２２００とリアボディー２５００は、スクリューではなくレーザー融着により結合するため、基板部２４００が内蔵される内部空間を最大限で備えることができる。第２基板２４３０は、前後方向に立てられた四角プレート形態のフレキシブルプリント基板（ＦＰＣＢ，Ｆｌｅｘｉｂｌｅ  Ｐｒｉｎｔｅｄ  Ｃｉｒｃｕｉｔ  Ｂｏａｒｄ）であり得る。その結果、第２基板２４３０の前方辺には湾曲した第１基板連結部２４３１が配置されて、第２基板２４３０の後方辺には湾曲した第３基板連結部２４３２が配置されることができる。第１基板連結部２４３１は、第１基板２４２０の下に位置した辺と電気的に連結されることができる。この場合、第１基板連結部２４３１の端子と第１基板２４２０の下に位置した辺に配置された端子が、はんだ付けによって電気的に連結されることができる。第３基板連結部２４３２は、第３基板２４４０の下に位置した辺と電気的に連結されることができる。この場合、第３基板連結部２４３２の端子と第３基板２４４０の下に位置した辺に配置された端子が、はんだ付けによって電気的に連結されることができる。第２基板２４３０は、後述する側面カン２４５０の第２基板係止２４５２を外側に越えて位置することができる。従って第２基板は２４３０の内側移動は、第２基板係止部２４５２により制限されることができる。
【００９５】
第３基板２４４０は、第１基板２４２０と離隔して、基板ユニット２４００の最下部に位置することができる。第３基板２４４０は、第１基板２４２０と第２基板２４３０により連結されることができる。第３基板２４４０の下面には後述するコネクター２４７０が実装されることができる。第３基板２４４０は、シールドカンによってカバーされることができる。この場合、第３基板２４４０の四辺は、シールドカンの内側面と接することができる。第３基板２４４０は、第３基板突出部２４４１が、後述する側面カン２４５０の第３基板係止溝２４５３に嵌め込まれて、側面カン２４５０に固定されることができる。第３基板突出部２４４１は、第３基板２４４０の右側辺と左側辺から外側に延びた突起形態であり得る。第３基板突出部２４４１は、第３基板係止ホール２４５３に挿入されて第３基板２４４０に支持力を付与することができる。第３基板２４４０は、四角プレート形態のプリント基板（ＰＣＢ，Ｐｒｉｎｔｅｄ  Ｃｉｒｃｕｉｔ  Ｂｏａｒｄ）であり得る。第３基板２４４０は、カメラモジュール２０００を電子制御することができる。第３基板突出部２４４１は、接地端機能を行うことができる。その結果、第３基板２４４０の残留電磁気はシールドカンを介して外部に抜け出ることができる。
【００９６】
シールドカンは、リアボディー２５００の内部空間に収容されることができる。この場合、シールドカンの外側面は、リアボディー２５００の内側面と接することができる。シールドカンの内部にはイメージセンサー２４１０、第１、２、３基板２４２０、２４３０、２４４０及びコネクター２４７０が収容されることができる。シールドカンの内部の最上側には第１基板２４２０に実装されたイメージセンサー２４１０が位置することができる。シールドカンの後方部にはシールドカンの下面を貫くコネクター２４７０が位置することができる。シールドカンは、前方が開放されたブロック形態であり得る。その結果、レンズバレル２１００を透過した光は、イメージセンサー２４１０に照射されることができる。シールドカンは、金属材で形成されることができる。より詳細に、シールドカンは、金属の板材で備えることができる。この場合、シールドカンは、電磁波妨害（ＥＭＩ，ｅｌｅｃｔｒｏ  ｍａｇｎｅｔｉｃ  ｉｎｔｅｒｆｅｒｅｎｃｅ）を遮断することができる。つまり、シールドカンは、外部から発生する電波が内部に流入するのを遮断することができる。また、上述したように第１、３基板２４２０、２４４０は、シールドカンに接地されており、第２基板２４３０は、第１、３基板２４２０、２４４０と電気的に連結されているため、第１、２、３基板２４２０、２４３０、２４４０に残っている残留電磁気は、シールドカンを介して外部に抜け出ることができる。但し、シールドカンの材質がこれに限定されない。シールドカンは、側面カン２４５０と後方カン２４６０を含むことができる。この場合、側面カン２４５０と後方カン２４６０は、組み立てられることができる。但し、本実施形態の比較例（図示せず）では、側面カンと後方カンは、一体で形成されることもできる。
【００９７】
側面カン２４５０は、リアボディー２５００の内部空間に収容されることができる。この場合、側面カン２４５０の外側面は、リアボディー２５００の内側面と接することができる。側面カン２４５０の後方には後方カン２４６０が位置することができる。側面カン２４５０の内部には第１、２、３基板２４２０、２４３０、２４４０が収容されることができる。側面カン２４５０は、中空の直方体であり得る。側面カン２４５０の前方と後方は、開放されることができる。その結果、側面カン２４５０は、シールドカンの側面を形成することができる。側面カン２４５０の上方向内側面には内側に突出された第１基板支持部２４５１が位置することができる。第１基板支持部２４５１は、第１基板２４２０の後方面の上部と接して、第１基板２４２０を支持することができる。側面カン２４５０の下に位置した面部分には第２基板係止部２４５２が位置することができる。第２基板係止部２４５２は、側面カン２４５０の他の面より断面積が小さくてよい。つまり、第２基板係止部２４５２は、平面形態のバー（Ｂａｒ）であり得る。第２基板係止部２４５２の外側（下方向）には第２基板２４３０が位置することができる。その結果、不意の外力によって第２基板２４３０が上に移動する場合、第２基板係止部２４５２に止められて制動されることができる。側面カン２４５０の左側面と右側面には第３基板係止ホール２４５３と後方カン係止ホール２４５４が形成されることができる。第３基板係止ホール２４５３の形状は、上述した第３基板突出部２４４１の形状と対応することができる。従って第３基板突出部２４４１は、第３基板係止ホール２４５３に挿入されることができる。その結果、第３基板２４４０は、側面カン２４５０に固定されることができる。一方、第３基板係止ホール２４５３の位相は、第１基板支持部２４５１の位相より低いため、第３基板２４４０は、第１基板２４２０の後方に位置することができる。後方カン係止ホール２４５４の形状は、後述する後方カン突出部２４６１の形状と対応することができる。従って後方カン突出部２４６１は、後方カン係止ホール２４５４に挿入されることができる。その結果、後方カン２４６０は、側面カン２４５０に組み立てられて、側面カン２４５０の後方に固定されることができる。第３基板係止ホール２４５３と後方カン係止ホール２４５４は、一体で形成されることができる。
【００９８】
後方カン２４６０は、リアボディー２５００の内部空間に収容されることができる。この場合、後方カン２４６０の外側面は、リアボディー２５００の内側面と接することができる。後方カン２４６０の前方には側面カン２４５０が位置することができる。後方カン２４６０の後方には後方カン２４６０の後方面を貫くコネクター２４７０が位置することができる。後方カン２４６０の後方面にはコネクター貫通ホール２４６２が形成されることができて、コネクター２４７０は、コネクター貫通ホール２４６２を介して後方カン２４６０の後方面を貫くことができる。後方カン２４６０は、平板プレートとこの四辺各々から前方に延びた側面を備えることができる。従って後方カン２４６０の前方部と前後方向の角は、開放されることができる。後方カン２４６０の左右の側面上端中央には内側に延びた後方カン突出部２４６１が形成されることができる。後方カン突出部２４６１は、後方カン係止ホール２４５４に挿入されることができる。従って後方カン２４６０の側面は、側面カン２４５０に固定されて、側面カン２４５０の後方端部をカバーすることができる。その結果、後方カン２４６０は、シールドカンの後方面を形成することができる。
【００９９】
コネクター２４７０は、リアボディー２５００の内部空間に収容されることができる。コネクター２４６０は、第３基板２４４０に実装されることができる。コネクター２４７０は、第３基板２４４０の後方面に実装されることができる。コネクター２４７０は、円筒形態で前面に端子が位置することができる。コネクター２４７０の端子は、第３基板２４４０の後方面に形成された端子とはんだ付けされて結合することができる。コネクター２４７０は、コネクター貫通ホール２４６２を介して後方カン２４６０を貫くことができる。後方カン２４６０を貫いたコネクター２４７０は、後述するリアボディー２５００のコネクター収容部２５９２に収容されることができる。コネクター２４７０は、ケーブル（図示せず）と電気的に連結されることができる。ケーブルは、外部の電子機器とカメラモジュール２０００を連結する導電ラインであり得る。従ってカメラモジュール２０００から出力されたイメージ信号は、ケーブルを介して外部の電子機器に転送されることができる。従ってカメラモジュール２０００が撮影したイメージ信号は、外部の電子機器によって保存されることもでき、ディスプレーされることもできる。また、外部の電子機器は、ケーブルを介してカメラモジュール２０００に電力を供給することができる。また、外部の電子機器は、ケーブルを介してカメラモジュール２０００に制御信号を送ってカメラモジュール２０００を制御することができる。
【０１００】
リアボディー２５００は、フロントボディー２２００の後方に配置されることができる。リアボディー２５００は、後方面と後方面から前方に延びた側壁部を含むことができる。リアボディー２５００は、後方面と側壁部によって前方が開口されて、内部空間２５９０が形成されることができる。リアボディー２５００の前方開口は、フロントボディー２２００により閉鎖されることができる。この場合、フロントボディー２２００のレンズバレルホール２２１１は、リアボディー２５００の内部空間２５９０と連通することができる。その結果、レンズバレル２１００を透過した光は、レンズバレルホール２２１１を過ぎてリアボディー２５００の内部空間２５９０に位置したイメージセンサー２４１０に照射されることができる。リアボディー２５００は、プラスチック材質を含むことができる。リアボディー２５００は、カーボンまたは金属が混合されたプラスチック材質を含むことができる。リアボディー２５００は、レーザー吸水性プラスチック材質またはレーザー吸水性カーボンまたは金属が混合されたプラスチック材質を含むことができる。リアボディー２５００とフロントボディー２２００は、結合することができる。リアボディー２５００の第１、２、３、４リブ２５５０、２５６０、２５７０、２５８０は、フロントボディー２２００の第１、２、３、４リブ溝２２２１、２２２２、２２２３、２２２４に収容されて融着されることによりリアボディー２５００とフロントボディー２２００が結合することができる。この場合、リアボディー２５００とフロントボディー２２００との間にはガスケット２３００が介在することができる。その結果、リアボディー２５００の内部空間２５９０は、密閉されることができる。
【０１０１】
側壁部は、リアボディー２５００の四角プレート形態の後方面から前方に延びて、前方開口が形成された形態であり得る。側壁部は、第１、２、３、４側壁２５１０、２５２０、２５３０、２５４０、第１、２、３、４コーナー側壁２５１１、２５２１、２５３１、２５４１及び第１、２、３、４リブ２５５０、２５６０、２５７０、２５８０を含むことができる。
【０１０２】
第１、２、３、４側壁２５１０、２５２０、２５３０、２５４０は、第１、２、３、４コーナー側壁２５１１、２５２１、２５３１、２５４１により互いに連結されていることができる。第１、２、３、４リブ２５５０、２５６０、２５７０、２５８０各々は、第１、２、３、４コーナー側壁２５１１、２５２１、２５３１、２５４１各々の前方面から前方に突出された形態であり得る。この場合、第１、２、３、４リブ２５５０、２５６０、２５７０、２５８０は、１、２、３、４コーナー側壁２５１１、２５２１、２５３１、２５４１に沿って湾曲するか折り曲げられることができる。
【０１０３】
第１側壁２５１０は、側壁部の上側に配置されることができる。第２側壁２５２０は、側壁部の左側に配置されることができる。第１、２側壁２５１０、２５２０は、互いに傾斜するように配置されることができる。第１、２側壁２５１０、２５２０は、互いに垂直に配置されることができる。第１、２側壁２５１０、２５２０は、第１コーナー側壁２５１１により連結されることができる。従って第１コーナー側壁２５１１は、外側に湾曲するか折り曲げられた側壁形態であり得る。第１コーナー側壁２５１１の前方面には第１リブ２５５０が前方に突出して形成されることができる。
【０１０４】
第１コーナー側壁２５１１に第１リブ２５５０が形成されることによって、第１コーナー側壁２５１１では、ガスケット２３００が支持される部分がなくなる。また、第１コーナー側壁２５１１は、構造的強度及び融着のため補強される必要性がある。従って第１コーナー側壁２５１１は、第１補強部２５１２を含むことができる。第１補強部２５１２は、第１コーナー側壁２５１１の内側に配置されて、補強する形態であり得る。従って第１コーナー側壁２５１１は、第１補強部２５１２の厚さだけ第１、２側壁２５１０、２５２０より厚い壁体を持つことができる。第１補強部２５１２は、側壁部と前後方向に同じ長さを持つことができる。第１補強部２５１２の前方面は、ガスケット２３００の第１ガスケットコーナー部２３１１及び第１、２連結部２３１２、２３１３の後方面と対応する形状を持つことができる。従って第１補強部２５１２の前方面とガスケット２３００の第１ガスケットコーナー部２３１１及び第１、２連結部２３１２、２３１３の後方面は、互いに接することができる。その結果、第１コーナー側壁２５１１の前方面も、ガスケット２３００の後方面と接して、ガスケット２３００を支持することができる。
【０１０５】
第１リブ２５５０の前方部分は、第１リブ溝２２２１に収容されることができる。第１リブ２５５０の後方部分は、第１リブ溝２２２１に収容されず外部に露出することができる。第１リブ２５５０の内側面は、ガスケット２３００の第１ガスケットコーナー部２３１１の外側面と対応するように湾曲するか折り曲げられることができる。従って第１リブ２５５０の内側面は、第１ガスケットコーナー部２３１１と接することができる。従って第１リブ２５５０の後方部分によって第１ガスケットコーナー部２３１１は、カバーされることができる。その結果、第１ガスケットコーナー部２３１１は、外部に露出されない。
【０１０６】
第２側壁２５２０は、側壁部の左側に配置されることができる。第３側壁２５３０は、側壁部の下側に配置されることができる。第２、３側壁２５２０、２５３０は、互いに傾斜するように配置されることができる。第２、３側壁２５２０、２５３０は、互いに垂直に配置されることができる。第２、３側壁２５２０、２５３０は、第２コーナー側壁２５２１により連結されることができる。従って第２コーナー側壁２５２１は、外側に湾曲するか折り曲げられた側壁形態であり得る。第２コーナー側壁２５２１の前方面には第２リブ２５６０が前方に突出して形成されることができる。
【０１０７】
第２コーナー側壁２５２１に第２リブ２５６０が形成されることによって、第２コーナー側壁２５２１では、ガスケット２３００が支持される部分がなくなる。また、第２コーナー側壁２５２１は、構造的強度及び融着のため補強される必要性がある。従って第２コーナー側壁２５２１は、第２補強部２５２２を含むことができる。第２補強部２５２２は、第２コーナー側壁２５２１の内側に配置されて補強する形態であり得る。従って第２コーナー側壁２５２１は、第２補強部２５２２の厚さだけ第２、３側壁２５２０、２５３０より厚い壁体を持つことができる。第２補強部２５２２は、側壁部と前後方向に同じ長さを持つことができる。第２補強部２５２２の前方面は、ガスケット２３００の第２ガスケットコーナー部２３２１及び第３、４連結部２３２２、２３２３の後方面と対応する形状を持つことができる。従って第２補強部２５２２の前方面とガスケット２３００の第２ガスケットコーナー部２３２１及び第３、４連結部２３２２、２３２３の後方面は、互いに接することができる。その結果、第２コーナー側壁２５２１の前方面も、ガスケット２３００の後方面と接して、ガスケット２３００を支持することができる。
【０１０８】
第２リブ２５６０の前方部分は、第２リブ溝２２２２に収容されることができる。第２リブ２５６０の後方部分は、第２リブ溝２２２２に収容されず外部に露出することができる。第２リブ２５６０の内側面は、ガスケット２３００の第２ガスケットコーナー部２３２１の外側面と対応するように湾曲するか折り曲げられることができる。従って第２リブ２５６０の内側面は、第２ガスケットコーナー部２３２１と接することができる。従って第２リブ２５６０の後方部分によって第２ガスケットコーナー部２３２１は、カバーされることができる。その結果、第２ガスケットコーナー部２３２１は、外部に露出されない。
【０１０９】
第３側壁２５３０は、側壁部の下側に配置されることができる。第４側壁２５４０は、側壁部の右側に配置されることができる。第３、４側壁２５３０、２５４０は、互いに傾斜するように配置されることができる。第３、４側壁２５３０、２５４０は、互いに垂直に配置されることができる。第３、４側壁２５３０、２５４０は、第３コーナー側壁２５３１により連結されることができる。従って第３コーナー側壁２５３１は、外側に湾曲するか折り曲げられた側壁形態であり得る。第３コーナー側壁２５３１の前方面には第３リブ２５７０が前方に突出して形成されることができる。
【０１１０】
第３コーナー側壁２５３１に第３リブ２５７０が形成されることによって、第３コーナー側壁２５３１では、ガスケット２３００が支持される部分がなくなる。また、第３コーナー側壁２５３１は、構造的強度及び融着のため補強される必要性がある。従って第３コーナー側壁２５３１は、第３補強部２５３２を含むことができる。第３補強部２５３２は、第３コーナー側壁２５３１の内側に配置されて補強する形態であり得る。従って第３コーナー側壁２５３１は、第３補強部２５３２の厚さだけ第３、４側壁２５３０、２５４０より厚い壁体を持つことができる。第３補強部２５３２は、側壁部と前後方向に同じ長さを持つことができる。第３補強部２５３２の前方面は、ガスケット２３００の第３ガスケットコーナー部２３３１及び第５、６連結部２３３２、２３３３の後方面と対応する形状を持つことができる。従って第３補強部２５３２の前方面とガスケット２３００の第３ガスケットコーナー部２３３１及び第５、６連結部２３３２、２３３３の後方面は、互いに接することができる。その結果、第３コーナー側壁２５３１の前方面も、ガスケット２３００の後方面と接してガスケット２３００を支持することができる。
【０１１１】
第３リブ２５７０の前方部分は、第３リブ溝２２２３に収容されることができる。第３リブ２５７０の後方部分は、第３リブ溝２２２３に収容されず外部に露出することができる。第３リブ２５７０の内側面は、ガスケット２３００の第３ガスケットコーナー部２３３１の外側面と対応するように湾曲するか折り曲げられることができる。従って第３リブ２５７０の内側面は、第３ガスケットコーナー部２３３１と接することができる。従って第３リブ２５７０の後方部分によって第３ガスケットコーナー部２３３１は、カバーされることができる。その結果、第３ガスケットコーナー部２３３１は、外部に露出されない。
【０１１２】
第１側壁２５１０は、側壁部の上側に配置されることができる。第４側壁２５４０は、側壁部の右側に配置されることができる。第１、４側壁２５１０、２５４０は、互いに傾斜するように配置されることができる。第１、４側壁２５１０、２５４０は、互いに垂直に配置されることができる。第１、４側壁２５１０、２５４０は、第４コーナー側壁２５４１により連結されることができる。従って第４コーナー側壁２５４１は、外側に湾曲するか折り曲げられた側壁形態であり得る。第４コーナー側壁２５４１の前方面には第４リブ２５８０が前方に突出して形成されることができる。
【０１１３】
第４コーナー側壁２５４１に第４リブ２５８０が形成されることによって、第４コーナー側壁２５４１では、ガスケット２３００が支持される部分がなくなる。また、第４コーナー側壁２５４１は構造的強度及び融着のため補強される必要性がある。従って第４コーナー側壁２５４１は、第４補強部２５４２を含むことができる。第４補強部２５４２は、第４コーナー側壁２５４１の内側に配置されて、補強する形態であり得る。従って第４コーナー側壁２５４１は、第４補強部２５４２の厚さだけ第１、４側壁２５１０、２５４０より厚い壁体を持つことができる。第４補強部２５４２は、側壁部と前後方向に同じ長さを持つことができる。第４補強部２５４２の前方面は、ガスケット２３００の第４ガスケットコーナー部２３４１及び第７、８連結部２３４２、２３４３の後方面と対応する形状を持つことができる。従って第４補強部２５４２の前方面とガスケット２３００の第４ガスケットコーナー部２３４１及び第７、８連結部２３４２、２３４３の後方面は、互いに接することができる。その結果、第４コーナー側壁２５４１の前方面も、ガスケット２３００の後方面と接して、ガスケット２３００を支持することができる。
【０１１４】
第４リブ２５８０の前方部分は、第４リブ溝２２２４に収容されることができる。第４リブ２５８０の後方部分は、第４リブ溝２２２４に収容されず外部に露出することができる。第４リブ２５８０の内側面は、ガスケット２３００の第４ガスケットコーナー部２３４１の外側面と対応するように湾曲するか折り曲げられることができる。従って第４リブ２５８０の内側面は、第４ガスケットコーナー部２３４１と接することができる。従って第４リブ２５８０の後方部分によって第４ガスケットコーナー部２３４１は、カバーされることができる。その結果、第４ガスケットコーナー部２３４１は、外部に露出されない。
【０１１５】
第１、２、３、４リブ２５５０、２５６０、２５７０、２５８０の前方部分は、各々これに対向する第１、２、３、４リブ溝２２２１、２２２２、２２２３、２２２４に収容されることができる。フロントボディー２２００は、レーザー透過性プラスチック材質を含み、リアボディー２５００は、レーザー吸水性プラスチック材質を含むことができる。従ってフロントボディー２２００の前方から後方にレーザーを照射する場合、第１、２、３、４リブ２５５０、２５６０、２５７０、２５８０にレーザーが照射されて、第１、２、３、４リブ２５５０、２５６０、２５７０、２５８０の前方部分と第１、２、３、４リブ溝２２２１、２２２２、２２２３、２２２４が融着できる。このような部分融着によりフロントボディー２２００とリアボディー２５００は、結合することができる。
【０１１６】
第１、２、３、４リブ２５５０、２５６０、２５７０、２５８０でレーザーが照射される部分は、第１、２、３、４リブ２５５０、２５６０、２５７０、２５８０の前方面であり得る。さらに第１、２、３、４リブ２５５０、２５６０、２５７０、２５８０の前方面で幅方向中央地点であり得る。一方、レーザー融着過程中第１、２、３、４リブ２５５０、２５６０、２５７０、２５８０でレーザーが照射される部分から発生する熱は、近くのガスケット２３００に伝達されることができる。ガスケット２３００は、弾性ゴム材質で耐熱性が落ちる。その結果、ガスケット２３００が劣化によって損傷して、密閉性能が落ちる間題が発生する可能性がある。このような間題を解決するために、本第２実施形態では、第１、２、３、４リブ２５５０、２５６０、２５７０、２５８０でレーザーが照射される部分とガスケット２３００の表面の最短距離は、２ｍｍ以上であり得る。つまり、第１、２、３、４リブ２５５０、２５６０、２５７０、２５８０の前方の長さを確保して、ガスケット２３００が劣化によって損傷するのを防止した。
【０１１７】
リアボディー２５００の後方面にはコネクター収容部２５９２が位置することができる。コネクター収容部２５９２は、リアボディー２５００の後方面から後方に延びた中空の直方体形態であり得る。コネクター収容部２５９２にはコネクター２４７０が収容されて、外力から保護されることができる。
【０１１８】
以下、本実施形態のカメラモジュール２０００の効果について説明する。本実施形態のカメラモジュール２０００は、フロントボディー２２００とリアボディー２５００が融着により結合するため、スクリューによって結合する通常のカメラモジュール２０００と比較して、リアボディー２５００の内部空間２５９０を広く確保することができる。
【０１１９】
また、第１、２、３、４リブ２５５０、２５６０、２５７０、２５８０の部分的配置による部分融着方式を適用して、比較例の融着方式よりもより広いリアボディー２５００の内部空間２５９０を確保することができる。さらに第１、２、３、４リブ２５５０、２５６０、２５７０、２５８０とガスケット２３００の配置によって機密性（防水性）と耐久性を確保することができる。
【０１２０】
より詳細に説明すると、本第２実施形態の第１、２、３、４リブ２５５０、２５６０、２５７０、２５８０は、第１、２、３、４コーナー側壁２５１１、２５２１、２５３１、２５４１の前方面にだけ部分的に配置されることができる。これに対して、本比較形態の一体型リブ（Ｒ）は、側壁部の前面に沿って四角形形態に配置される。従って本第２実施形態のリアボディー２５００は、第１、２、３、４側壁２５１０、２５２０、２５３０、２５４０の内側に位置した追加空間（Ｓ）を確保することができる。従って本第２実施形態のカメラモジュール２０００は、基板ユニット２４００を内蔵できる内部空間を広く備えることができる。
【０１２１】
さらに本第２実施形態で、ガスケット２３００は、フロントボディー２２００とリアボディー２５００との間に配置される。この場合、ガスケット２３００の前方面は、フロントボディー２２００の鍔部２２２０の後方面と接することができる。また、ガスケット２３００の後方面は、リアボディー２５００の側壁部の前面と接することができる。その結果、ガスケット２３００は、フロントボディー２２００とリアボディー２５００の結合圧力によって圧着されて、機密性（防水性）が向上することができる。
【０１２２】
また、ガスケット２３００の第１、２、３、４ガスケットコーナー部２３１１、２３２１、２３３１、２３４１は、第１、２、３、４リブ２５５０、２５６０、２５７０、２５８０の内側に配置されることができる。この場合、第１、２、３、４ガスケットコーナー部２３１１、２３２１、２３３１、２３４１の外側面は、第１、２、３、４リブ２５５０、２５６０、２５７０、２５８０の内側面と接することができる。従って第１、２、３、４ガスケットコーナー部２３１１、２３２１、２３３１、２３４１は、第１、２、３、４リブ２５５０、２５６０、２５７０、２５８０によりカバーされて、外部に露出されない。ガスケット２３００で第１、２、３、４ガスケットコーナー部２３１１、２３２１、２３３１、２３４１は、外力による摩擦が起きやすい部分で、摩耗されるため注意を要する。本第２実施形態のカメラモジュール２０００では、ガスケット２３００で外力に脆弱な第１、２、３、４ガスケットコーナー部２３１１、２３２１、２３３１、２３４１を第１、２、３、４リブ２５５０、２５６０、２５７０、２５８０によりカバーすることによってガスケット２３００の損失を最小化した。
【０１２３】
また、レーザー融着が起きる第１、２、３、４リブ２５５０、２５６０、２５７０、２５８０が、リアボディー２５００の第１、２、３、４コーナー側壁２５１１、２５２１、２５３１、２５４１に配置されることによって、フロントボディー２２００とリアボディー２５００の四角の角の部分が堅固に結合する。その結果、フロントボディー２２００が、リアボディー２５００から簡単に剥離されることはない。より詳細に説明すると、リアボディー２５００の第１、２、３、４コーナー側壁２５１１、２５２１、２５３１、２５４１に配置された第１、２、３、４リブ２５５０、２５６０、２５７０、２５８０とフロントボディー２２００の鍔部２２２０に配置された第１、２、３、４リブ溝２２２１、２２２２、２２２３、２２２４の融着により、第１、２、３、４側壁２５１０、２５２０、２５３０、２５４０の前方面全部とフロントボディー２２００の鍔部２２２０は、フロントボディー２２００とリアボディー２５００が結合する方向に結合力を受けるようになる。その結果、カメラモジュール２０００の耐久性が向上する。
【０１２４】
以上、本発明の実施形態を構成するすべての構成要素が一つで結合するか結合して動作すると説明されたといって、本発明が必ずしもこのような実施形態に限定されるものではない。つまり、本発明の目的範囲内でなら、そのすべての構成要素が一つ以上で選択的に結合して動作することもできる。さらに、以上で記載された“含む”、“構成する”または“持つ”等の用語は、特に反対の記載がない限り、該当構成要素が内在する可能性があることを意味するため、他の構成要素を除くのではなく他の構成要素をさらに包含できると解釈されなければならない。技術的や科学的な用語を含んだすべての用語は、異なるように定義されない限り、本発明が属する技術分野で通常の知識を有する者によって一般的に理解されるのと同じ意味がある。予め定義された用語と共に一般的に使われる用語は、関連技術の文脈上の意味と一致すると解釈されるべきで、本発明で明白に定義しない限り、理想的や過度に形式的な意味と解釈されない。
【０１２５】
以上の説明は、本発明の技術思想を例示的に説明したものに過ぎず、本発明が属する技術分野で通常の知識を有する者なら本発明の本質的な特性から逸脱しない範囲で様々な修正及び変更が可能であろう。従って、本発明に開示された実施形態は、本発明の技術思想を限定するためのものでなく説明するためのもので、このような実施形態によって本発明の技術思想の範囲が限定されるのではない。本発明の保護範囲は、下記の請求範囲によって解釈されるべきで、その同等な範囲内にあるすべての技術思想は、本発明の権利範囲に含まれると解釈されなければならない。
【図１】
2019537317.tif 000003
【図２】
2019537317.tif 000004
【図３】
2019537317.tif 000005
【図４】
2019537317.tif 000006
【図５】
2019537317.tif 000007
【図６】
2019537317.tif 000008
【図７】
2019537317.tif 000009
【図８】
2019537317.tif 000010
【図９】
2019537317.tif 000011
【図１０】
2019537317.tif 000012
【図１１】
2019537317.tif 000013
【図１２】
2019537317.tif 000014
【図１３】
2019537317.tif 000015
【図１４】
2019537317.tif 000016
【図１５】
2019537317.tif 000017
【図１６】
2019537317.tif 000018
【図１７】
2019537317.tif 000019
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
レンズバレル収容部と、前記レンズバレル収容部から外周方向に延びる平面と、前記平面から下方に延びる鍔部を含むフロントボディー；
前記フロントボディーに配置されるレンズバレル；
前記レンズバレルに配置される少なくとも一つのレンズ；
前記フロントボディーに結合されるリアボディー；及び
前記リアボディーに配置され、前記レンズバレルの下方に配置される基板部を含み、
前記平面は下面に形成される融着溝を含み、
前記リアボディーは上面で突出形成され、前記融着溝に配置される融着部を含み、
前記融着部は前記少なくとも一つのレンズと光軸方向に垂直方向にオーバーラップされることを特徴とする、カメラモジュール。
【請求項２】
前記フロントボディーと前記リアボディーとの間に配置されるガスケットを含み、
前記ガスケットは前記融着部と離隔されることを特徴とする、請求項１に記載のカメラモジュール。
【請求項３】
前記鍔部には上端と、前記上端より内側に配置される下端を含み、
前記ガスケットは、前記下端を覆うことを特徴とする、請求項２に記載のカメラモジュール。
【請求項４】
前記リアボディーは前記リアボディーの内側で突出されるガスケット支持部を含み、
前記ガスケットは、前記ガスケット支持部によって圧着されることを特徴とする、請求項３に記載のカメラモジュール。
【請求項５】
前記ガスケット支持部は前記鍔部の前記上端と光軸方向にオーバーラップされることを特徴とする、請求項４に記載のカメラモジュール。
【請求項６】
前記ガスケット支持部は前記鍔部の前記下端と光軸方向に非オーバーラップされる ことを特徴とする、請求項５に記載のカメラモジュール。
【請求項７】
前記ガスケットの上面は前記鍔部の前記上端の下面と接触し、下面は前記ガスケット支持部の上面と接触することを特徴とする、請求項５に記載のカメラモジュール。
【請求項８】
前記ガスケットの側面は前記リアボディーの内側面と前記鍔部の前記下端の側面と隣接することを特徴とする、請求項７に記載のカメラモジュール。
【請求項９】
前記平面の前記融着溝は前記鍔部より外側に配置されることを特徴とする、請求項３に記載のカメラモジュール。
【請求項１０】
前記融着溝の幅は前記融着部の幅より広いことを特徴とする、請求項３に記載のカメラモジュール。
【請求項１１】
前記融着部の上面は前記融着溝の内側面と接触することを特徴とする、請求項１０に記載のカメラモジュール。
【請求項１２】
前記融着部はレーザー融着により前記融着溝に融着され、
前記融着部のうちレーザーが照射されるレーザー照射部と前記ガスケットの表面の最短距離は２ｍｍ以上であることを特徴とする、請求項１１に記載のカメラモジュール。
【請求項１３】
前記レーザーは前記フロントボディーの前記平面の上から照射されることを特徴とする、請求項１２に記載のカメラモジュール。
【請求項１４】
前記フロントボディーと前記リアボディーは、カーボンまたは金属が混合されたプラスチック材質を含むことを特徴とする、請求項１３に記載のカメラモジュール。
【請求項１５】
前記融着溝は前記フロントボディーの前記平面の外周面と離隔されることを特徴とする、請求項１に記載のカメラモジュール。
【請求項１６】
前記ガスケットは、リング形態であり、ゴム材質であることを特徴とする、請求項２に記載のカメラモジュール。
【請求項１７】
前記ガスケットは、四角形態であることを特徴とする、請求項１６に記載のカメラモジュール。
【請求項１８】
前記レンズバレル収容部と、前記平面と、前記鍔部は一体に形成されることを特徴とする、請求項１に記載のカメラモジュール。
【請求項１９】
前記フロントボディーの少なくとも一部は前記リアボディーの内部に配置されることを特徴とする、請求項１に記載のカメラモジュール。
【請求項２０】
フロントボディーとガスケットを結合する段階；
リアボディーに基板部を収容する段階；
前記フロントボディーと前記リアボディーを整列して密着させる段階；
前記フロントボディーと前記リアボディーを融着してカメラモジュールを製造する段階を含み、
前記カメラモジュールは、
レンズバレル収容部と、前記レンズバレル収容部から外周方向に延び平面と、前記平面から下方に延びるフランジ部を含むフロントボディー；
前記フロントボディーに配置されるレンズバレル；
前記レンズバレルに配置される少なくとも一つのレンズ；
前記フロントボディーに結合されるリアボディー；及び
前記リアボディーに配置され、前記レンズバレルの下方に配置される基板部を含み、
前記平面の下面は融着溝を含み、
前記リアボディーは上面で突出形成され、前記融着溝に配置される融着部を含み、
前記融着部は前記少なくとも一つのレンズと光軸方向に垂直方向にオーバーラップされることを特徴とする、カメラモジュール製造方法。
【国際調査報告】
2019537317.tif 000020
2019537317.tif 000021
2019537317.tif 000022
2019537317.tif 000023